(57)【特許請求の範囲】
【請求項１】
中継ノードによって実行される方法であって、
無線ネットワーク内のノードに関連するリソースの数を決定することと、
前記ノードに関連するリソースの数を決定することに少なくとも部分的に基づいて、予測リソース要求を生成することと、
前記無線ネットワーク内の１つ又は複数の追加のノードからの１つ又は複数の異なるリソース要求を受信することと、
前記１つ又は複数の異なるリソース要求に基づいて、前記ノードに関して決定された前記リソースの数と比較して、前記予測リソース要求のためのリソースの異なる数を計算することと、ここにおいて、前記予測リソース要求は、前記リソースの異なる数を含み、ここにおいて、前記予測リソース要求のためのリソースの異なる数を計算することは、前記１つ又は複数の追加のノードとの通信に関連する１つ又は複数のパラメータを集約すること、および前記１つ又は複数の追加のノードとの通信に関連する前記１つ又は複数のパラメータの各々に確率を適用することを含む、
前記予測リソース要求を前記無線ネットワーク内の異なるノードへ送信することと
を備える方法。
【請求項２】
前記ノードからのリソース要求を受信することを更に備え、前記リソースの数を決定することは、前記リソース要求に少なくとも部分的に基づく、請求項１に記載の方法。
【請求項３】
前記リソースの数を決定することは、前記リソース要求における１つ又は複数のパラメータに少なくとも部分的に基づく、請求項２に記載の方法。
【請求項４】
前記１つ又は複数のパラメータは、要求されたバイトの数又はサービス品質識別子を含む、請求項３に記載の方法。
【請求項５】
前記１つ又は複数のパラメータは、前記ノードにおける送信のための１つ又は複数のパケットを備える１つ又は複数のバッファに関連するバッファ状態レポートを含む、請求項３に記載の方法。
【請求項６】
前記リソースの数に少なくとも部分的に基づいて、前記ノードのためのリソース許可を生成することと、
前記リソース許可を前記ノードへ送信することと
を更に備える、請求項１に記載の方法。
【請求項７】
前記予測リソース要求を生成することは、前記リソース許可に少なくとも部分的に基づく、請求項６に記載の方法。
【請求項８】
前記ノードによって送信され、受信又は復号を待機しているハイブリッド自動反復／要求（ＨＡＲＱ）パケットの数又はサイズを決定することを更に備え、前記予測リソース要求のためのリソースの異なる数を計算することは、ＨＡＲＱパケットの数又はサイズに少なくとも部分的に基づく、請求項１に記載の方法。
【請求項９】
前記ノードに関連するパケット・パターンの１つ又は複数のパラメータを決定することを更に備え、前記予測リソース要求のためのリソースの異なる数を計算することは、前記１つ又は複数のパラメータに少なくとも部分的に基づく、請求項１に記載の方法。
【請求項１０】
前記パケット・パターンの１つ又は複数のパラメータを決定することは、前記ノードに割り当てられた１つ又は複数のトークン・バケツを決定することを含む、請求項９に記載の方法。
【請求項１１】
前記追加のノードとの通信に関連する１つ又は複数のパラメータを集約することは、前記異なるリソース要求における１つ又は複数の異なるパラメータを集約すること、前記追加のノードから送信され、受信又は復号を待機しているハイブリッド自動反復／要求（ＨＡＲＱ）パケットの数又はサイズを集約すること、前記追加のノードに割り当てられた追加のリソースの数を集約すること、前記追加のノードからのバッファ状態レポートを集約すること、又は前記追加のノードに関連する１つ又は複数のトークン・バケツ・パラメータを集約することを含む、請求項１に記載の方法。
【請求項１２】
前記１つ又は複数のパラメータを集約することは、前記１つ又は複数のパラメータに関連するサービス品質に従う、前記追加のノードとの通信に関連する前記１つ又は複数のパラメータを集約することを含む、請求項１に記載の方法。
【請求項１３】
前記予測リソース要求を生成することは、前記１つ又は複数のパラメータに関連するサービス品質に各々が対応する複数の予測リソース要求のベクトルを生成することを含む、請求項１２に記載の方法。
【請求項１４】
前記ノードは、ユーザ機器であり、前記異なるノードは、第３世代パートナーシップ・プロジェクトのロング・ターム・エボリューション・ネットワークにおけるドナー・アクセス・ポイントである、請求項１に記載の方法。
【請求項１５】
無線ネットワーク内で通信するためのノードに関連するリソースの数を決定し、
前記リソースの数に少なくとも部分的に基づいて、予測リソース要求を生成し、
前記無線ネットワーク内の１つ又は複数の追加のノードからの１つ又は複数の異なるリソース要求を受信し、
前記１つ又は複数の異なるリソース要求に基づいて、前記ノードに関して決定された前記リソースの数と比較して、前記予測リソース要求のためのリソースの異なる数を計算し、ここにおいて、前記リソースの異なる数は、前記予測リソース要求に含まれる、ここにおいて、前記少なくとも１つのプロセッサは、前記１つ又は複数の追加のノードとの通信に関連する１つ又は複数のパラメータを集約することによって、および前記１つ又は複数の追加のノードとの通信に関連する前記１つ又は複数のパラメータの各々に確率を適用することによって、前記予測リソース要求のためのリソースの異なる数を計算するようにさらに構成される、
前記予測リソース要求を前記無線ネットワーク内の異なるノードへ通信する
ように構成された少なくとも１つのプロセッサと、
前記少なくとも１つのプロセッサに結合されたメモリと
を備える、中継ノード。
【請求項１６】
前記少なくとも１つのプロセッサは更に、前記ノードからのリソース要求を受信するように構成され、前記少なくとも１つのプロセッサは、前記リソース要求に少なくとも部分的に基づいて前記リソースの数を決定する、請求項１５に記載の中継ノード。
【請求項１７】
前記少なくとも１つのプロセッサは、前記リソース要求における１つ又は複数のパラメータに少なくとも部分的に基づいて前記予測リソース要求を生成する、請求項１６に記載の中継ノード。
【請求項１８】
前記少なくとも１つのプロセッサは更に、前記リソースの数に少なくとも部分的に基づいて前記ノードのためのリソース許可を生成し、前記リソース許可を前記ノードへ送信するように構成される、請求項１５に記載の中継ノード。
【請求項１９】
前記少なくとも１つのプロセッサは、前記リソース許可に少なくとも部分的に基づいて前記予測リソース要求を生成する、請求項１８に記載の中継ノード。
【請求項２０】
前記少なくとも１つのプロセッサは更に、前記ノードとの通信に関連する１つ又は複数のパラメータを受信するように構成され、前記少なくとも１つのプロセッサは、前記１つ又は複数のパラメータに少なくとも部分的に基づいて前記リソースの異なる数を計算する、請求項１５に記載の中継ノード。
【請求項２１】
前記１つ又は複数のパラメータは、前記ノードによって送信され、前記中継ノードによる受信又は復号を待機しているハイブリッド自動反復／要求パケットの数又はサイズ、又は前記ノードに関連する割り当てられたパケット・パターンを含む、請求項２０に記載の中継ノード。
【請求項２２】
無線ネットワーク内で通信するためのノードに関連するリソースの数を決定するための手段と、
前記ノードに関連する前記リソースの数を決定することに少なくとも部分的に基づいて、予測リソース要求を生成するための手段と、
前記無線ネットワーク内の１つ又は複数の追加のノードからの１つ又は複数の異なるリソース要求を受信するための手段と、
前記１つ又は複数の異なるリソース要求に基づいて、前記予測リソース要求のためのリソースの異なる数を計算するための手段と、ここにおいて、前記リソースの異なる数は、前記予測リソース要求に含まれる、ここにおいて、前記予測リソース要求のためのリソースの異なる数を計算するための手段は、前記１つ又は複数の追加のノードとの通信に関連する１つ又は複数のパラメータを集約するための手段、および前記１つ又は複数の追加のノードとの通信に関連する前記１つ又は複数のパラメータの各々に確率を適用するための手段を含む、
前記リソースの数に少なくとも部分的に基づいて、前記無線ネットワーク内の異なるノードへ前記予測リソース要求を送信するための手段と
を備える、中継ノード。
【請求項２３】
前記ノードからのリソース要求を受信するための手段を更に備え、前記決定するための手段は、前記リソース要求に少なくとも部分的に基づいて前記リソースの数を決定する、請求項２２に記載の中継ノード。
【請求項２４】
提供するための手段は、前記リソース要求における１つ又は複数のパラメータに少なくとも部分的に基づいて前記予測リソース要求を生成する、請求項２３に記載の中継ノード。
【請求項２５】
前記リソースの数に少なくとも部分的に基づいて、前記ノードにリソース許可を割り当てるための手段を更に備える、請求項２２に記載の中継ノード。
【請求項２６】
提供するための手段は、前記リソース許可に少なくとも部分的に基づいて前記予測リソース要求を生成する、請求項２５に記載の中継ノード。
【請求項２７】
予測要求に少なくとも部分的に基づいて、前記異なるノードからの異なるリソース許可を取得するための手段と、
前記リソース許可を介して受信された１つ又は複数のデータ・パケットを、前記異なるリソース許可を介して前記異なるノードへ転送するための手段と
を更に備える、請求項２５に記載の中継ノード。
【請求項２８】
前記ノードとの通信に関連する１つ又は複数のパラメータを受信するための手段を更に備え、前記決定するための手段は、前記ノードとの通信に関連する前記１つ又は複数のパラメータに少なくとも部分的に基づいて前記リソースの数を決定し、提供するための手段は、前記１つ又は複数のパラメータに少なくとも部分的に基づいて前記予測リソース要求を生成する、請求項２２に記載の中継ノード。
【請求項２９】
前記１つ又は複数のパラメータは、前記ノードによって送信され、受信又は復号を待機しているハイブリッド自動反復／要求パケットの数又はサイズ、又は前記ノードに関連するパケット・パターンを含む、請求項２８に記載の中継ノード。
【請求項３０】
中継ノード内の、コードを記憶したコンピュータ読取可能記憶媒体であって、前記コードが、
無線ネットワーク内のノードに関連するリソースの数を決定するためのコードと、
前記リソースの数に少なくとも部分的に基づいて予測リソース要求を生成するためのコードと、
前記無線ネットワーク内の１つ又は複数の追加のノードからの１つ又は複数の異なるリソース要求を受信するためのコードと、
前記１つ又は複数の異なるリソース要求に基づいて、前記ノードに関して決定された前記リソースの数と比較して、前記予測リソース要求のためのリソースの異なる数を計算するためのコードと、ここにおいて、前記予測リソース要求は、前記リソースの異なる数を含む、ここにおいて、前記予測リソース要求のためのリソースの異なる数を計算するためのコードは、前記１つ又は複数の追加のノードとの通信に関連する１つ又は複数のパラメータを集約するためのコード、および前記１つ又は複数の追加のノードとの通信に関連する前記１つ又は複数のパラメータの各々に確率を適用するためのコードを含む、
前記予測リソース要求を前記無線ネットワーク内の異なるノードへ通信するためのコードと
を備える、コンピュータ読取可能記憶媒体。
【請求項３１】
前記ノードからのリソース要求を受信するためのコードを更に備え、前記決定するためのコードは、前記リソース要求に少なくとも部分的に基づいて前記リソースの数を決定する、請求項３０に記載のコンピュータ読取可能記憶媒体。
【請求項３２】
前記リソース要求を生成するためのコードは、前記リソース要求における１つ又は複数のパラメータに少なくとも部分的に基づいて前記予測リソース要求を生成するためのコードを備える、請求項３１に記載のコンピュータ読取可能記憶媒体。
【請求項３３】
前記コンピュータ読取可能記憶媒体は更に、前記リソースの数に少なくとも部分的に基づいて前記ノードのためのリソース許可を生成し、前記リソース許可を前記ノードへ送信するためのコードを備える、請求項３０に記載のコンピュータ読取可能記憶媒体。
【請求項３４】
前記予測リソース要求を生成するためのコードは、前記リソース許可に少なくとも部分的に基づいて前記予測リソース要求を生成するためのコードを備える、請求項３３に記載のコンピュータ読取可能記憶媒体。
【請求項３５】
前記コンピュータ読取可能記憶媒体は更に、前記ノードとの通信に関連する１つ又は複数のパラメータを受信するためのコードを備え、前記リソースの異なる数を計算するためのコードは、前記１つ又は複数のパラメータに少なくとも部分的に基づいて前記リソースの異なる数を生成するためのコードを備える、請求項３０に記載のコンピュータ読取可能記憶媒体。
【請求項３６】
前記１つ又は複数のパラメータは、前記ノードによって送信され、受信又は復号を待機しているハイブリッド自動反復／要求パケットの数又はサイズ、又は前記ノードに割り当てられた１つ又は複数のトークン・バケツを含む、請求項３５に記載のコンピュータ読取可能記憶媒体。
【請求項３７】
無線ネットワーク内で通信するためのノードに関連するリソースの数を決定するリソース計算コンポーネントと、
前記無線ネットワーク内の１つ又は複数の追加のノードからの１つ又は複数の異なるリソース要求を受信するリソース要求受信コンポーネントと、
前記ノードに関連して決定された前記リソースの数に少なくとも部分的に基づいて予測リソース要求を生成するリソース要求コンポーネントと、ここにおいて、前記リソース要求コンポーネントは、前記１つ又は複数の異なるリソース要求に基づいて、前記予測リソース要求のための異なる数を計算し、前記予測リソース要求における前記リソースの異なる数を含む、ここにおいて、前記リソース要求コンポーネントは、前記１つ又は複数の追加のノードとの通信に関連する１つ又は複数のパラメータを集約することによって、前記リソースの異なる数を計算し、および前記１つ又は複数のパラメータの各々に確率を適用する、
前記リソース要求コンポーネントは、前記予測リソース要求を前記無線ネットワーク内の異なるノードへ送信する、
を備える、中継ノード。
【請求項３８】
前記ノードからのリソース要求を取得するリソース要求受信コンポーネントを更に備え、前記リソース計算コンポーネントは、前記リソース要求に少なくとも部分的に基づいて前記リソースの数を決定する、請求項３７に記載の中継ノード。
【請求項３９】
前記リソース要求コンポーネントは、前記リソース要求における１つ又は複数のパラメータに少なくとも部分的に基づいて前記予測リソース要求を生成する、請求項３８に記載の中継ノード。
【請求項４０】
前記リソースの数に少なくとも部分的に基づいて、前記ノードへリソース許可を提供するリソース割当てコンポーネントを更に備える、請求項３７に記載の中継ノード。
【請求項４１】
前記リソース要求コンポーネントは、前記リソース許可に少なくとも部分的に基づいて前記予測リソース要求を生成する、請求項４０に記載の中継ノード。
【請求項４２】
前記予測リソース要求に少なくとも部分的に基づいて、前記異なるノードからの異なるリソース許可を取得するリソース許可受信コンポーネントと、ここにおいて、前記異なるリソース許可における前記リソースの数は、前記ノードに関連する前記決定されたリソースの数と異なり、
前記リソース許可を介して受信された１つ又は複数のデータ・パケットを、前記異なるリソース許可を介して前記異なるノードへ転送するデータ通信コンポーネントと
を更に備える、請求項４０に記載の中継ノード。
【請求項４３】
前記ノードとの通信に関連する１つ又は複数のパラメータを取得するパラメータ受信コンポーネントを更に備え、前記リソース計算コンポーネントは、前記１つ又は複数のパラメータに少なくとも部分的に基づいて、前記予測リソース要求のためのリソースの数を決定し、前記リソース要求コンポーネントは、前記１つ又は複数のパラメータに少なくとも部分的に基づいて前記予測リソース要求を生成する、請求項３７に記載の中継ノード。
【請求項４４】
前記１つ又は複数のパラメータは、前記ノードによって送信され、受信又は復号を待機しているハイブリッド自動反復／要求パケットの数又はサイズ、又は前記ノードからの予測されるデータに関連する１つ又は複数のパケット・パターン・パラメータを含む、請求項４３に記載の中継ノード。
【発明の詳細な説明】
【技術分野】
【０００１】
[３５Ｕ．Ｓ．Ｃ第１１９条の下の優先権主張]
本願は、本願の譲受人に譲渡され、参照によって本願に明確に組み込まれた、２００９年８月１０日出願の“Relay Resource Request Pipelining”と題された米国特許仮出願第６１／２３２５７６号に対する優先権を主張する。
【０００２】
以下の説明は、一般に無線通信に関し、特に、複数のノードの間でリソース要求を生成することに関する。
【背景技術】
【０００３】
無線通信システムは、例えば音声、データ等のような様々なタイプの通信コンテンツを提供するために広く開発されている。典型的な無線通信システムは、利用可能なシステム・リソース（例えば、帯域幅、送信電力等）を共有することによって複数のユーザとの通信をサポートしうる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数多元接続（ＯＦＤＭＡ）システム等を含むことができる。更に、システムは、例えば第３世代パートナーシップ・プロジェクト（３ＧＰＰ）、３ＧＰＰロング・ターム・エボリューション（ＬＴＥ）、ウルトラ・モバイル・ブロードバンド（ＵＭＢ）、及び／又は、例えばエボリューション・データ・オプティマイズド（ＥＶ−ＤＯ）のようなマルチキャリア無線仕様書、それらの１つ又は複数の改訂版等のような仕様書に準拠しうる。
【０００４】
一般に、無線多元接続通信システムは、複数のモバイル・デバイスのための通信を同時にサポートしうる。各モバイル・デバイスは、順方向リンク及び逆方向リンクにおける送信を介して１つ又は複数のアクセス・ポイント（例えば、基地局）と通信しうる。順方向リンク（すなわち、ダウンリンク）は、アクセス・ポイントからモバイル・デバイスへの通信リンクを称し、逆方向リンク（すなわち、アップリンク）は、モバイル・デバイスからアクセス・ポイントへの通信リンクを称する。更に、モバイル・デバイスとアクセス・ポイントとの間の通信は、単一入力単一出力（ＳＩＳＯ）システム、複数入力単一出力（ＭＩＳＯ）システム、複数入力複数出力（ＭＩＭＯ）システム等を介して確立されうる。しかし、アクセス・ポイントは、カバレージの境界付近のモバイル・デバイス及び／又は通信量の多いエリア内のデバイスがアクセス・ポイントからの通信の品質劣化を経験するような地理的カバレージ・エリア及びリソースにおいて制限されうる。
【０００５】
更に、無線ネットワーク通信は、複数の有線ノード又は無線ノードを介して発生しうる。例えば、アクセス・ポイントと通信中のモバイル・デバイス以外に、１つ又は複数のモバイル・デバイスが、アクセス・ポイントへのアクセスを提供するために、例えば１つ又は複数の異なるモバイル・デバイスへ通信を転送することによって、それらとピア・ツー・ピア通信において通信しうる。別の例において、モバイル・デバイスが別のノード（例えば、中継ノード）を通してアクセス・ポイントと通信しうるような追加の機能及び／又は拡大した通信範囲を提供するために、複数のアクセス・ポイントが通信しうる。
【０００６】
各構成及び同様の構成において、リソースは、各ノード間の各リンクにおける通信を容易にするために、ノード間で個々に割り当てられうる。例えば、第１のノードは、第２のノードからのリソース許可を受信し、それを介してデータを送信しうる。第２のノードはその後、例えば第１のノードからのデータを転送するために第３のノードを用いてリソースを要求しうる。
【発明の概要】
【０００７】
下記は、１つ又は複数の態様の基本的な理解を提供するために、そのような態様の簡略化された概要を提示する。この概要は、考慮される態様全ての詳細な概観ではなく、全ての態様の主旨又は重要な要素を示すこと、あるいは任意の又は全ての態様の範囲を定めることは意図されていない。この概要の唯一の目的は、以下に示す詳細な説明の前置きとして、簡略化された形式で１つ又は複数の態様のいくつかの概念を提示することである。
【０００８】
１つ又は複数の態様及びそれらの対応する開示によると、様々な態様が、無線ネットワーク内の異なるノードからのリソース要求の受信に少なくとも部分的に基づいて、無線ネットワーク内のサービス提供ノードからのリソース割当てを予測して要求することを容易にすることに関連して説明される。従って、例えば、リソース割当ては、異なるノードに許可されたリソースを介して受信されるデータを待機することなく、異なるノードから受信されたリソース割当ての１つ又は複数のパラメータに少なくとも部分的に基づいて、サービス提供ノードから要求されることができる。更に、例えば、リソース割当ては、異なるノードとの通信に関連する１つ又は複数の異なるパラメータに少なくとも部分的に基づいて要求されうる。従って、異なるノードからのリソース要求を受信すると、データが受信される前に、サービス提供ノードからリソースが要求されるので、異なるノードからのデータの受信と、サービス提供ノードへのデータの転送との間の遅延が緩和されうる。
【０００９】
関連する態様によると、無線ネットワーク内のノードに関連するリソースの数を決定することと、ノードに関連するリソースの数の決定に少なくとも部分的に基づいて予測リソース要求を生成することとを含む方法が提供される。方法は更に、無線ネットワーク内の異なるノードへ予測リソース要求を送信することを含む。
【００１０】
別の態様は、無線通信装置に関する。無線通信装置は、無線ネットワーク内で通信するためのノードに関連するリソースの数を決定し、リソースの数に少なくとも部分的に基づいて予測リソース要求を生成するように構成された少なくとも１つのプロセッサを含むことができる。少なくとも１つのプロセッサは更に、無線ネットワーク内の異なるノードへ予測リソース要求を通信するように構成される。無線通信装置はまた、少なくとも１つのプロセッサに結合されたメモリも備えうる。
【００１１】
また別の態様は、装置に関する。装置は、無線ネットワーク内で通信するためのノードに関連するリソースの数を決定するための手段を含む。装置はまた、リソースの数に少なくとも部分的に基づいて、無線ネットワーク内の異なるノードへ予測リソース要求を提供するための手段も含む。
【００１２】
また別の態様は、コンピュータ・プログラム製品に関する。コンピュータ・プログラム製品は、少なくとも１つのコンピュータに、無線ネットワーク内のノードに関連するリソースの数を決定させるためのコードと、少なくとも１つのコンピュータに、リソースの数に少なくとも部分的に基づいて予測リソース要求を生成させるためのコードとを含むコンピュータ読取可能媒体を有しうる。コンピュータ読取可能媒体はまた、少なくとも１つのコンピュータに、無線ネットワーク内の異なるノードへ予測リソース要求を通信させるためのコードを備えることもできる。
【００１３】
更に、追加の態様は、無線ネットワーク内で通信するためのノードに関連するリソースの数を決定するリソース計算コンポーネントを含む装置に関する。装置は更に、リソースの数に少なくとも部分的に基づいて、無線ネットワーク内の異なるノードへ予測リソース要求を提供するリソース要求コンポーネントを含むことができる。
【００１４】
上記及び関連する目的を達成するために、１つ又は複数の態様は、以下で完全に説明され、特許請求の範囲において特に指摘される特徴を備える。下記説明及び添付図面は、１つ又は複数の態様のある例示的特徴を詳細に説明する。しかしこれらの特徴は、様々な態様の原理が用いられうる様々な方法のうちのほんの一部しか示さず、本説明は、そのような態様及びそれらの均等物の全てを包含することが意図されている。
【図面の簡単な説明】
【００１５】
【図１】図１は、複数の無線ネットワーク・ノード間での通信を容易にする無線通信システムの例を示す。
【図２】図２は、無線通信環境において用いるための通信装置の例を示す。
【図３】図３は、予測リソース要求を生成するための無線通信システムの例を示す。
【図４】図４は、受信したリソース要求に基づいてリソース要求を生成することを容易にする無線通信システムの例を示す。
【図５】図５は、無線ネットワークのための中継を提供することを容易にする無線通信システムの例を示す。
【図６】図６は、予測リソース要求を生成するための方法の例を示す。
【図７】図７は、ノードと通信するためのパラメータに基づいて予測リソース要求を生成する方法の例を示す。
【図８】図８は、複数のノードと通信するための集合パラメータの集約に基づいて予測リソース要求を生成するための方法の例を示す。
【図９】図９は、本明細書で説明される様々なシステム及び方法と関連して用いることができる無線ネットワーク環境の例を示す。
【図１０】図１０は、予測リソース要求を生成することを容易にするシステムの例を示す。
【詳細な説明】
【００１６】
以下で、様々な態様が図面を参照して説明される。下記において、説明の目的のために、１つ又は複数の態様の完全な理解を提供するために数々の特定の詳細が説明される。しかし、そのような態様は、それらの詳細なしでも実施されうることが明らかである。
【００１７】
本願において用いられる場合、「コンポーネント」、「モジュール」、「システム」等の用語は、限定ではないが例えばハードウェア、ファームウェア、ハードウェアとソフトウェアとの組み合わせ、ソフトウェア、又は実行中のソフトウェアのようなコンピュータ関連エンティティを含むことが意図されている。例えばコンポーネントは、限定ではないが、プロセッサ上で実行中の処理、プロセッサ、オブジェクト、実行ファイル、実行中のスレッド、プログラム、及び／又はコンピュータでありうる。一例として、コンピュータ・デバイスで実行中のアプリケーションと、そのコンピュータ・デバイスとの両方がコンポーネントとなりうる。１つ又は複数のコンポーネントが、実行中のスレッド及び／又は処理内に存在することができ、コンポーネントは、１つのコンピュータに集中する、及び／又は２つ以上のコンピュータに散在しうる。更にこれらのコンポーネントは、格納された様々なデータ構成を有する様々なコンピュータ読取可能媒体から実行しうる。コンポーネントは、例えば、ローカル・システム又は分散型システムにおける別のコンポーネントとインタラクトしている１つのコンポーネントからのデータ、及び／又は例えば信号方式でインターネットのようなネットワークにわたって他のシステムとインタラクトしている１つのコンポーネントからのデータのような１つ又は複数のデータ・パケットを有する信号に従うような、ローカル処理及び／又は遠隔処理の方法で通信しうる。
【００１８】
更に、様々な態様が、有線端末又は無線端末でありうる端末に関連して本明細書で説明される。端末は、システム、デバイス、加入者ユニット、加入者局、モバイル局、モバイル、モバイル・デバイス、遠隔局、遠隔端末、アクセス端末、ユーザ端末、端末、通信デバイス、ユーザ・エージェント、ユーザ・デバイス、又はユーザ機器（ＵＥ）と称されることもできる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、又は無線モデムに接続された他の処理デバイスでありうる。更に、様々な態様が、基地局に関連して本明細書で説明される。基地局は、無線端末との通信のために用いられることができ、アクセス・ポイント、ノードＢ、次世代ノードＢ（ｅＮＢ）、又はその他何らかの用語として称されることもできる。
【００１９】
更に、「又は」という用語は、排他的な「又は」ではなく包括的な「又は」を意味することが意図されている。そうではないと明記されない限り、又は文脈から明らかでない限り、「ＸはＡ又はＢを用いる」という語句は、そのままの包括的順列のうちのいずれかを意味することが意図されている。すなわち、「ＸはＡ又はＢを用いる」という語句は、ＸはＡを用いる、ＸはＢを用いる、又は、ＸはＡ及びＢ両方を用いる、という例のいずれによっても満たされる。更に、「ａ」及び「ａｎ」という冠詞は、本願及び特許請求の範囲において用いられる場合、そうではないと明記されるか、文脈から単数形を示すことが明らかである場合を除き、一般に「１つ又は複数」を意味するように解釈されるべきである。
【００２０】
本明細書で説明される技術は、例えばＣＤＭＡ、ＴＤＭＡ、ＦＤＭＡ、ＯＦＤＭＡ、ＳＣ−ＦＤＭＡ、及び他のシステムのような様々な無線通信システムのために用いることができる。「システム」及び「ネットワーク」と言う用語は、しばしば相互置換性を持って用いられる。ＣＤＭＡシステムは、例えばユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）及び他の様々なＣＤＭＡを含む。更にｃｄｍａ２０００は、ＩＳ−２０００規格、ＩＳ−９５規格、及びＩＳ−８５６規格をカバーする。ＴＤＭＡシステムは、例えばグローバル・システム・フォー・モバイル・コミュニケーション（ＧＳＭ(登録商標)）のようなラジオ技術を実現しうる。ＯＦＤＭＡシステムは、例えば次世代ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ等のようなラジオ技術を実現しうる。ＵＴＲＡ及びＥ−ＵＴＲＡは、ユニバーサル・モバイル・テレコミュニケーション・システム（ＵＭＴＳ）の一部である。３ＧＰＰロング・ターム・エボリューション（ＬＴＥ）は、Ｅ−ＵＴＲＡを用いるＵＭＴＳのリリースであり、ダウンリンクにおいてＯＦＤＭＡを、アップリンクにおいてＳＣ−ＦＤＭＡを用いる。ＵＴＲＡ、Ｅ−ＵＴＲＡ、ＵＭＴＳ、ＬＴＥ、及びＧＳＭ(登録商標)は、「第３世代パートナーシップ・プロジェクト」（３ＧＰＰ）と名付けられた組織からの文書において説明される。更に、ｃｄｍａ２０００及びＵＭＢは、「第３世代パートナーシップ・プロジェクト２」（３ＧＰＰ２）と名付けられた組織からの文書において説明される。更に、そのような無線通信システムは、しばしば不対無認可スペクトル、８０２．ｘｘ無線ＬＡＮ、ＢＬＵＥＴＯＯＴＨ（登録商標）、及び他の任意の短距離又は長距離の無線通信技術を用いるピア・ツー・ピア（例えば、モバイル対モバイル）アド・ホック・ネットワーク・システムを更に含むことができる。
【００２１】
様々な態様又は特徴が、複数のデバイス、コンポーネント、モジュール等を含むことができるシステムの観点から提示されているであろう。様々なシステムが、追加のデバイス、コンポーネント、モジュール等を含むこと、及び／又は、図面に関連して説明されたデバイス、コンポーネント、モジュール等の全てを含むわけではないことが理解されるべきである。これらのアプローチの組み合わせを用いることもできる。
【００２２】
図１を参照すると、無線ネットワーク内の様々なノード間での通信を容易にする無線通信システム１００が示されている。システム１００は、ノードＢ１０４と通信するノードＡ１０２、及びノードＣ１０６と通信するノードＢ１０４を含む。一例において、ノードＢ１０４は、ノードＡ１０２からの通信をノードＣ１０６へ転送することができ、及び／又は、その逆もできる。この点に関し、例えばノードＢ１０４は、中継ノード、ノードＣ１０６又はノードＡ１０２とのピア・ツー・ピア又はアド・ホック通信ノード等でありうる。一例において、ノードＣ１０６は、無線ネットワーク・アクセスを提供するために１つ又は複数のコア・ネットワーク要素（図示せず）と通信するドナー・アクセス・ポイントであることができ、ノードＡ１０２は、例えばＵＥ又は中継ノードのような無線デバイスであることができ、ノードＢ１０４は、ＵＥとドナー・アクセス・ポイントとの間の通信を容易にする中継ノードでありうる。従って、例えば、ノードＡ１０２、ノードＢ１０４、及びノードＣ１０６はそれぞれ、モバイル・デバイス（例えば、ＵＥ、モデム等）、アクセス・ポイント（例えば、マクロセル、フェムトセル、ピコセル、又は同様のアクセス・ポイント、モバイル基地局等）、中継ノード等でありうる。
【００２３】
一例によると、ノードＢ１０４は、通信を送信又は受信するために複数のリソースをノードＡに許可しうる。これは、例えば、ノードＡ１０２からのリソース要求、ノードＡ１０２との通信に関する１つ又は複数のパラメータ等に基づくことができる。ノードＡ１０２からの要求は、ノードＢ１０４のための１つ又は複数の通信のサイズ（例えば、リソースあるいはバイトの数）、サービス品質（ＱｏＳ）識別子等を含むことができる。少なくとも部分的にこれらのパラメータに基づいて、ノードＢ１０４は、同様のパラメータを含むことができる、ノードＣ１０６へ送信するための予測リソース要求を生成しうる。ノードＣ１０６のための予測リソース要求のパラメータは、例えばノードＡ１０２からのリソース要求において受信されたパラメータに少なくとも部分的に基づいて指定されうる。
【００２４】
別の例において、予測リソース要求のためのパラメータは、ノードＡ１０２によって送信された、ノードＢ１０４によってまだ受信及び復号されていないパケットの数、受信された要求に基づいてノードＢ１０４によってノードＡ１０２に割り当てられたリソース、ノードＢ１０４によって受信されたノードＡ１０２からのバッファ状態レポート、ノードＡ１０２からの予測されたデータに関するパケット・パターン（例えば、ノードＡ１０２におけるデータ・レートを調整するために割り当てられたトークン・バケツ）等に少なくとも部分的に基づいて生成されうる。更に、ノードＢ１０４は、ノードＣ１０６へのアクセスを提供するために追加のノード（図示せず）にサービス提供することもできる。この例において、ノードＢ１０４は、ノードＣ１０６への予測リソース要求の生成において、複数のサービス提供されたノードの予測されたリソースを集約することもできる。例えばノードＢ１０４は、複数のサービス提供されたノードから送信されたパケットを正しく受信する確率の計算、ノードＢ１０４によって複数のサービス提供されたノードに割り当てられたリソース、複数のサービス提供されたノードに関するバッファ状態レポート等に少なくとも部分的に基づいて、予測要求のためのパラメータを決定することもできる。また別の例において、ノードＢ１０４は、ＱｏＳ階級ごとにノードＣ１０６のための予測リソース要求を生成しうる。この場合ノードＢ１０４は、サービス提供されたノードからの同様のＱｏＳ要求を集約し、個々の要求、予測リソース要求のベクトル（例えば、ＱｏＳごとに１つの要求）等を送信する。
【００２５】
図２を参照すると、無線通信ネットワークに加わることができる通信装置２００が示されている。通信装置２００は、モバイル・デバイス、アクセス・ポイント、中継ノード、それらの一部、又は、無線ネットワーク内で通信する実質的に任意のデバイスでありうる。通信装置２００は、リソース要求又は１つ又は複数の無線デバイスとの通信に関する１つ又は複数のパラメータに少なくとも部分的に基づいて、１つ又は複数の無線デバイスにリソースのセットを割り当てるリソース割当てコンポーネント２０２と、異なる無線デバイス（図示せず）から要求するリソースの数を決定するリソース計算コンポーネント２０４と、異なる無線デバイス（図示せず）からの通信リソースの数に関する要求を生成するリソース要求コンポーネント２０６とを備えうる。通信装置２００はまた、要求に基づいて異なる無線デバイスからのリソースを取得するリソース許可受信コンポーネント２０８と、１つ又は複数の無線デバイスに割り当てられたリソースを介してデータを受信し、異なる無線デバイスから取得されたリソースを介してそのデータを転送するデータ通信コンポーネント２１０とを備える。
【００２６】
一例によると、リソース割当てコンポーネント２０２は、無線デバイスのためのリソース割当てを生成しうる。これは、（例えば、ＬＴＥにおけるランダム・アクセス・チャネル（ＲＡＣＨ）を介して）無線デバイスから受信したリソース要求に応答して、無線デバイスとの通信に関する１つ又は複数の受信したパラメータに応答して、等でありうる。受信したリソース要求に応答している場合、例えば、リソース割当てコンポーネント２０２は、リソース要求における１つ又は複数のパラメータ（例えば、バイト数、ＱｏＳ識別子、バッファ状態レポート（ＢＳＲ）等）に少なくとも部分的に基づいてリソース割当てを生成しうる。例えば、リソース割当ては、共有リソース又は専用リソース（例えば、ＬＴＥにおける物理アップリンク共有チャネル（ＰＵＳＣＨ）リソース）でありうるデータ・リソースのセットに関連しうる。更に、リソース割当てコンポーネント２０２は、制御リソース（例えば、ＬＴＥにおける物理ダウンリンク制御チャネル）を介してリソース割当てを送信しうる。更に、上述したように、リソース要求コンポーネント２０６は、生成されたリソース割当てを介して受信されたデータを転送するために、異なる通信装置からの予測リソース要求を生成しうる。一例において、リソース計算コンポーネント２０４は、受信されたリソース要求、リソース割当てコンポーネント２０２によって生成されたリソース割当て、無線デバイスとの通信に関連する１つ又は複数の受信されたパラメータ等に少なくとも部分的に基づいて、予測要求のためのリソースの数を決定しうる。
【００２７】
従って、例えば、リソース要求コンポーネント２０６は、無線デバイスから取得されたリソース要求におけるものと同様のパラメータを含むように、予測リソース要求を生成しうる（例えば、予測要求は、一例において、バイトの数、ＱｏＳ識別子、ＢＳＲ等を含む実質的に同一のパラメータを有しうる）。この例において、リソース要求コンポーネント２０６は、異なる通信装置へ予測要求を通信することができ、リソース許可受信コンポーネント２０８は、リソースのセットの許可を取得しうる。従って、データ通信コンポーネント２１０は、リソース割当てコンポーネント２０２によって割り当てられたリソースを介してデータを取得することができ、予測要求に応答してリソース許可受信コンポーネント２０８によって取得されたリソースのセットを介してデータを転送しうる。
【００２８】
別の例において、リソース計算コンポーネント２０４は、受信されたリソース要求のパラメータに基づいて予測要求のためのリソースの数を決定することができ、リソース要求コンポーネント２０６は、異なる無線デバイスからのリソースの数を要求しうる。更に、一例において、リソース要求コンポーネント２０６は、リソース割当てコンポーネント２０２によって生成されたリソース許可のサイズに少なくとも部分的に基づいて、リソースに関する予測要求を生成しうる。また、例えば、リソース要求コンポーネント２０６は、複数の無線デバイスに少なくとも部分的に基づいて、予測リソース要求を生成しうる。例えば、リソース要求は、複数のデバイスから受信され、各々が、要求されたバイトの数、ＱｏＳ識別子、ＢＳＲ等を指定しうる。リソース計算コンポーネント２０４は、リソースの数を決定するために、複数のリソース要求のパラメータを集約することができ、リソース要求コンポーネント２０６は、リソースの数に基づいて予測リソース要求を生成しうる。更に、リソース割当てコンポーネント２０２は、受信されたリソース要求に少なくとも部分的に基づいて、複数のデバイスのためのリソース割当てを生成しうる。別の例において、リソース要求コンポーネント２０６は、生成されたリソース割当てに少なくとも部分的に基づいて予測リソース要求を生成しうる。また別の例において、リソース計算コンポーネント２０４は、本明細書において説明されるように、要求するリソースの数を決定するために、複数のデバイスとの通信に関する１つ又は複数のパラメータを集約しうる。
【００２９】
更に、リソース要求コンポーネント２０６は、１つ又は複数の受信されたリソース要求に少なくとも部分的に基づいて、所与のＱｏＳ階級のための予測リソース要求を生成しうる。従って、例えば、１つ又は複数の受信されたリソース要求が所与のＱｏＳ識別子に関連する場合、リソース計算コンポーネント２０４は、各ＱｏＳ階級のために要求するリソースの数を決定するために、所与のＱｏＳ識別子に関連するリソース要求のための関連するバイトの数（例えば、及び／又はＢＳＲ）を集約することができ、リソース要求コンポーネント２０６は、各ＱｏＳ階級のための予測リソース要求を生成しうる。複数のＱｏＳ階級に関して複数の要求が受信された場合、リソース要求コンポーネント２０６は、複数の予測リソース要求（例えば、各ＱｏＳ階級ごとに１つ）を備える構成又はベクトルを生成しうる。
【００３０】
図３を参照すると、予測リソース要求を生成するための無線通信システム３００の例が示されている。システム３００は、例えば無線デバイス３０４のような１つ又は複数のデバイスに無線ネットワーク・アクセスを提供するアクセス・ポイント３０２を含む。例えば、アクセス・ポイント３０２は、一例において、コア・ネットワーク（図示せず）又は他のアクセス・ポイントと直接通信しうるアクセス・ポイント３０６を通して無線ネットワーク・アクセスを提供しうる。更に、一例において、同様の機能を提供するために、アクセス・ポイント３０２はアクセス・ポイント３０６のコンポーネントを備えることができ、その逆も然りであることが理解されるべきである。また、アクセス・ポイント３０２及び３０６は、各々が、マクロセル・アクセス・ポイント、フェムトセル・アクセス・ポイント、ピコセル・アクセス・ポイント、モバイル基地局等であることができ、上述したように、ドナー・アクセス・ポイント及び／又は中継ノードの機能を提供しうる。無線デバイス３０４は、ＵＥ、モデム（又は、他の連結デバイス）等でありうる。更に、例えば上述したように、アクセス・ポイント３０２は、ピア・ツー・ピア・モード又はアド・ホック・モードで通信している無線デバイス３０４のピア・デバイスでありうる。
【００３１】
アクセス・ポイント３０２は、無線デバイスからのリソース要求を取得するリソース要求受信コンポーネント３０８と、リソース要求に少なくとも部分的に基づいて無線デバイスにリソースのセットを割り当てるリソース割当てコンポーネント２０２と、無線デバイス３０４との通信に関連する１つ又は複数のパラメータを取得するパラメータ受信コンポーネント３１０とを備えうる。アクセス・ポイント３０２は更に、無線デバイスからのリソース要求及び／又は１つ又は複数のパラメータに少なくとも部分的に基づいてリソース割当てサイズを計算するリソース計算コンポーネント２０４と、リソース割当てサイズに基づいて異なるアクセス・ポイントからの通信リソースに関する要求を生成するリソース要求コンポーネント２０６と、要求に基づいて異なるアクセス・ポイントからのリソースを取得するリソース許可受信コンポーネント２０８と、無線デバイスに割り当てられたリソースを介してデータを受信し、取得されたリソースを介して異なるアクセス・ポイントへデータを転送するデータ通信コンポーネント２１０とを備える。
【００３２】
無線デバイス３０４は、リソース要求をアクセス・ポイントへ通信するリソース要求コンポーネント３１２と、１つ又は複数のアクセス・ポイントとの通信に関する１つ又は複数のパラメータを決定あるいは取得するパラメータ決定コンポーネント３１４とを備える。無線デバイス３０４は更に、１つ又は複数のパラメータをアクセス・ポイントへ送信するパラメータ通信コンポーネント３１６と、リソース要求及び／又は１つ又は複数のパラメータに少なくとも部分的に基づいてアクセス・ポイントからのリソース割当てを取得するリソース許可受信コンポーネント３１８と、リソース割当てを介してアクセス・ポイントへデータを送信するデータ通信コンポーネント３２０とを備える。アクセス・ポイント３０６は、１つ又は複数のアクセス・ポイントからのリソース要求を取得するリソース要求受信コンポーネント３２２と、アクセス・ポイントにリソースのセットを許可するリソース割当てコンポーネント３２４と、リソースのセットを介してアクセス・ポイントからの無線デバイス・データを受信するデータ通信コンポーネント３２６とを備える。
【００３３】
一例によると、無線デバイス３０４は、自身と通信しているアクセス・ポイント３０２からのリソースを要求しうる。例えばこれは、初期接続確立、ハンドオーバ（例えば、無線デバイス３０４がアクセス・ポイント３０２の範囲内へ移動した場合）、接続再確立等の一部として発生しうる。この点に関して、リソース要求コンポーネント３１２は、リソース要求を生成し、その要求をアクセス・ポイント３０２へ送信しうる。例えば、リソース要求コンポーネント３１２は、アクセス・ポイント３０２に関連するＲＡＣＨを介して要求を送信しうる。リソース要求受信コンポーネント３０８は、リソースに関する要求を取得することができ、リソース割当てコンポーネント２０２は、無線デバイス３０４に許可するためのリソースのセットを決定しうる。上述したように、例えば、リソース要求は、リソースを介したデータの通信のために要求されるバイトの数、ＱｏＳ識別子、ＢＳＲ等を含むことができる。従って、例えば、リソース割当てコンポーネント２０２は、要求されたバイトの数、ＱｏＳ識別子、ＢＳＲ等に基づいてリソースのセットを決定しうる。リソース割当てコンポーネント２０２は、（例えば、ＰＤＣＣＨ又は同様の制御チャネルを介して）リソースのセットのインジケーションを無線デバイス３０４へ通信することができ、リソース許可受信コンポーネント３１８は、リソースのセット又は関連するインジケーションを取得しうる。
【００３４】
更に、上述したように、リソース要求コンポーネント２０６は、リソース割当てコンポーネント２０２によって生成されたリソース許可、リソース要求受信コンポーネント３０８によって取得された要求等に少なくとも部分的に基づいて（例えば、バイトの数、ＱｏＳ識別子、ＢＳＲ等に基づいて）、アクセス・ポイント３０６からの予測リソース要求を生成しうる。一例において、リソース計算コンポーネント２０４は、無線デバイス３０４からの受信された要求において示されたバイトの数に少なくとも部分的に基づいて（例えば、無線デバイス３０４からの要求において示されたバイトの数の比例等）、予測要求において要求するリソースの数（例えば、ＢＳＲにおいて又は他の方法で示されうるバイトの数）を計算しうる。上述したように、予測要求は、アクセス・ポイント３０６との通信のために要求されるバイトの数、ＱｏＳ識別子等を同様に含むことができる。一例において、リソース要求コンポーネント２０６は、受信されたリソース要求のＱｏＳ識別子及びバイト数を予測リソース要求に含めることができる。リソース要求コンポーネント２０６は例えば、予測要求をアクセス・ポイント３０６へ通信しうる。リソース要求受信コンポーネント３２２は、予測要求を取得することができ、リソース割当てコンポーネント３２４は、予測要求に少なくとも部分的に基づいて（例えば、バイトの数、ＱｏＳ識別子等に基づいて）アクセス・ポイント３０２に許可する予測リソースのセットを決定しうる。
【００３５】
リソース割当てコンポーネント３２４は、予測リソースのセットのインジケーションをアクセス・ポイント３０２へ通信することができ、リソース許可受信コンポーネント２０８は、予測リソースのセットを取得しうる。同時に、データ通信コンポーネント３２０は、リソース許可受信コンポーネント３１８によって取得されたリソースのセットを介してアクセス・ポイント３０６へ提供するためにアクセス・ポイント３０２へデータを送信しうる。例えば、リソースのセットは、無線デバイス３０４がデータを送信しうるＰＵＳＣＨに関連しうる。データ通信コンポーネント２１０は、リソースのセットを介してデータを取得することができ、予測リソースのセットが、リソース許可受信コンポーネント２０８によってアクセス・ポイント３０６から受信された場合、データ通信コンポーネント２１０は、予測リソースのセットを介してアクセス・ポイント３０６へデータを転送しうる。データ通信コンポーネント３２６は、データを取得及び処理しうる。更に、一例においてリソース計算コンポーネント２０４は、上述したように、リソース割当てコンポーネント２０２によって生成されたリソース割当てのサイズに基づいて、予測要求のためのリソースの数を決定しうる。
【００３６】
別の例において、パラメータ決定コンポーネント３１４は、無線デバイス３０４の１つ又は複数の通信パラメータをアクセス・ポイント３０２へ提供しうる。リソース割当てコンポーネント２０２は、例えば、１つ又は複数の通信パラメータに少なくとも部分的に基づいて、無線デバイス３０４のためのリソース割当てを生成しうる。更に、例えば、リソース計算コンポーネント２０４は、１つ又は複数の通信パラメータに少なくとも部分的に基づいて、予測リソース要求のためのリソースの数を決定しうる。例えば、パラメータ決定コンポーネント３１４は、送信されたがアクセス・ポイント３０２による受信及び復号を待機している、無線デバイス３０４におけるハイブリッド自動反復／要求（ＨＡＲＱ）パケットのサイズ及び／又は数を取得しうる（例えば、パラメータ決定コンポーネント３１４は、例えばアクノレッジメント及び／又はノン・アクノレッジメントのようなＨＡＲＱフィードバックがそのパケットについて受信されたかに基づいて、パケットが受信されていないと判定しうる）。パラメータ通信コンポーネント３１６は、ＨＡＲＱパケットのサイズ及び／又は数をアクセス・ポイント３０２へ送信しうる。パラメータ受信コンポーネント３１０は、ＨＡＲＱのサイズ及び／又は数を取得することができ、リソース計算コンポーネント２０４は、ＨＡＲＱパケットのサイズ及び／又は数に少なくとも部分的に基づいて、予測リソース要求において示すリソースの数を決定しうる。従って、例えば、ＨＡＲＱパケットのサイズ及び／又は数が大きい場合ほど、リソース計算コンポーネント２０４は、予測リソース要求のためのリソースの数を多い数に決定しうる。上述したように、リソース要求コンポーネント２０６は、リソースの数（例えば、バイトの数）を示す予測要求を生成することができ、上述したように、リソースを許可しうるアクセス・ポイント３０６へ要求を送信しうる。
【００３７】
別の例において、リソース要求受信コンポーネント３０８は、無線デバイス３０４がリソース要求においてアクセス・ポイント３０２へ送信することが利用可能であるパケット及び／又はバイトの数に関するＢＳＲを取得しうる。パラメータ通信コンポーネント３１６は、リソース要求においてＢＳＲをアクセス・ポイント３０２へ送信しうる。リソース計算コンポーネント２０４は例えば、ＢＳＲに少なくとも部分的に基づいて、予測リソースに含めるリソースの数を計算しうる。例えば、リソース計算コンポーネント２０４は、ＢＳＲが、バッファ内にパケットがあること及び／又はしきい値レベルを上回るパケットのサイズ又は数がバッファ内にあることを示す場合、より大きいリソース・サイズを決定しうる。
【００３８】
また別の例において、パラメータ受信コンポーネント３１０は、無線デバイス３０４からの予測されたパケット・パターンに関する１つ又は複数のパラメータを取得又は決定しうる。例えば、パラメータ受信コンポーネント３１０は、無線デバイス３０４からの送信を調整するために、無線デバイス３０４に割り当てられたトークン・バケツに関する１つ又は複数のトークン・バケツ・パラメータを取得しうる。パラメータ受信コンポーネント３１０は、トークン・バケツ・パラメータを割り当てたことによってローカルにパラメータを決定することができ、コア・ネットワーク等からの（例えば、アクセス・ポイント３０６からの）トークン・バケツ・パラメータを受信しうる。リソース計算コンポーネント２０４は、パケット・パターン・パラメータに少なくとも部分的に基づいて、無線デバイス３０４における送信のために利用可能なデータ（例えば、パケットの数、サイズ等）を推定することができ、推定された利用可能なデータに基づいて、予測リソース要求において要求するリソースの数を生成しうる。
【００３９】
更に、例えば、パラメータ受信コンポーネント３１０は、無線デバイス３０４を含む複数の無線デバイスからの予測されうるパケットの数又はサイズに関する上記パラメータのうちのいずれかを取得することができ、リソース計算コンポーネント２０４は、アクセス・ポイント３０６から要求するリソースの数を計算するために、複数の無線デバイスのためのパラメータを集約しうる。例えば、パラメータ受信コンポーネント３１０が複数の無線デバイスのためのＨＡＲＱの数又はサイズのパラメータを取得した場合、リソース計算コンポーネント２０４は、対応するバッファ内のパケットの数又はサイズの合計を決定するために、ＨＡＲＱの数又はサイズのパラメータを加算しうる。リソース計算コンポーネント２０４は、一例において、複数の無線デバイスからの対応するバッファ内のデータ通信を容易にするために、アクセス・ポイント３０６から要求するリソースの数を計算しうる。一例において、リソース計算コンポーネント２０４は、複数の無線デバイスからのパラメータに確率を更に関連付けることができる。例えば確率は、複数の無線デバイスから送信されており、アクセス・ポイント３０２に正しく到着しているパケットに関連しうる。この点に関して、リソース計算コンポーネント２０４は、適用された対応する確率を有するパラメータに基づいて、要求するリソースの数を計算しうる。
【００４０】
例えば、リソース計算コンポーネント２０４は、以下の式に少なくとも部分的に基づいて、リソースの数を計算しうる。
【数１】
0005964392.tif 000002
【００４１】
この場合、ｐ１は、無線デバイス１からのパケットを受信する確率であり、Ｂ１は、無線デバイス１において送信が開始したがアクセス・ポイント３０２によってまだ受信されていないバイトの数であり、ｐ２は、無線デバイス２からのパケットを受信する確率であり、Ｂ２は、無線デバイス２において送信が開始したがアクセス・ポイント３０２によってまだ受信されていないバイトの数であり、以下も同様である。別の例において、Ｂ１及びＢ２はそれぞれ、リソース割当てコンポーネント２０２によって無線デバイス１及び無線デバイス２に割り当てられたリソースでありうる。更に、例えばＢ１及びＢ２はそれぞれ、無線デバイス１及び無線デバイス２のためのＢＳＲにおいて示されたバイトの数であることもできる。更に、Ｂ１及びＢ２はそれぞれ、無線デバイス１及び無線デバイス２に関連する上記パラメータのうちの実質的に任意の組み合わせであることもできる。
【００４２】
更に、上述したように、リソース要求コンポーネント２０６は、各ＱｏＳ階級に関連する予測リソース要求を生成しうる。従って、例えば、リソース要求受信コンポーネント３０８は、上述したように、あるＱｏＳ階級を示すリソース要求を取得しうる。リソース計算コンポーネント２０４は、上述したように、所与のＱｏＳ階について要求するリソースの数を決定しうる。更に、この例において、リソース要求コンポーネント２０６は、そのＱｏＳ階級のための予測リソース要求をアクセス・ポイント３０６へ送信しうる。リソース要求受信コンポーネント３２２は、そのＱｏＳ階級のための予測要求を取得することができ、リソース割当てコンポーネント３２４は、そのＱｏＳ階級に関するアクセス・ポイント３０２へリソースのセットを割り当てることができる。更に、例えば、リソース要求コンポーネント２０６は、複数のＱｏＳ階級のための予測リソース要求のベクトルを生成し、そのベクトルをリソース要求受信コンポーネント３２２へ提供しうる。リソース割当てコンポーネント３２４は、この例において、ベクトルにおいてＱｏＳ階級の各々のためのリソース許可を生成しうる。
【００４３】
図４を参照すると、１つ又は複数の異なる受信されたリソース要求に基づいて予測リソース要求を送信することを容易にする例示的無線通信システム４００が示されている。一例において、上述したように、ノードＣ１０６は、無線ネットワーク・アクセスを提供するために１つ又は複数のコア・ネットワーク要素（図示せず）と通信するドナー・アクセス・ポイントであることができ、ノードＡ１０２は、例えばＵＥのような無線デバイスであることができ、ノードＢ１０４は、ドナー・アクセス・ポイントとＵＥとの間の通信を容易にする中継ノードでありうる。従って、例えば、ノードＡ１０２、ノードＢ１０４、及びノードＣ１０６はそれぞれ、モバイル・デバイス（例えば、ＵＥ、モデム等）、アクセス・ポイント（例えば、マクロセル、フェムトセル、ピコセル、又は同様のアクセス・ポイント、モバイル基地局等）、中継ノード等でありうる。
【００４４】
図示したように、ノードＡ１０２は、リソース要求４０２をノードＢ１０４へ送信しうる。上述したように、ノードＢ１０４は、ノードＡ１０２からのリソース要求４０２を受信することができ、リソース要求４０２の受信に少なくとも部分的に基づいて、リソース要求４０４を生成しうる。例えば上述したように、ノードＢ１０４は、リソース要求４０２におけるパラメータ、受信した他のパラメータ（例えば、上述したように、ノードＡ１０２から送信されたがノードＢ１０４においてまだ受信されていないパケットの数又はサイズ、トークン・バケツ・パラメータ、ノードＢ１０４と通信している複数のノードのための集約パラメータ、計算された、上記パラメータに適用されたパケットを受信する可能性等）等に少なくとも部分的に基づいて、リソース要求４０４を生成しうる。更に、ノードＢ１０４は、リソース要求４０２に基づいてノードＡ１０２へリソース許可４０６を送信しうる。ノードＢ１０４は更に、一例において、リソース許可４０６に基づいてリソース要求４０４を生成しうる。
【００４５】
ノードＢ１０４は、ノードＡ１０２のためのリソースを予測して要求するために、リソース要求４０４をノードＣ１０６へ送信しうる。リソース要求４０４は、別の例において、リソース許可４０６に後続してノードＣ１０６へ通信されうることが理解されるべきである。ノードＣ１０６は、上述したように、リソース要求４０４に基づいて、ノードＢ１０４へのリソース許可４０８の送信を生成しうる。更に、別の例において、リソース許可４０８は、ノードＢ１０４がリソース許可４０６をノードＡ１０２へ送信する前に受信されうることが理解されるべきである。リソース許可４０６が受信されると、ノードＡ１０２は、パケット送信４１０をノードＢ１０４へ提供しうる。ノードＢ１０４は、リソース許可４０８が受信されると、パケット送信４１２をノードＣ１０６へ転送しうる。このように、ノードＢ１０４は、ノードＣ１０６からのリソースを要求及び受信することによって生じる遅延を緩和するために、（例えば、パケット送信４１０を待機するのではなく）ノードＡ１０２からのリソース要求が受信されると、ノードＡ１０２にサービス提供するためにノードＣ１０６からのリソースを予測して要求する。
【００４６】
図５を参照すると、無線ネットワークにおける中継機能を提供することを容易にする無線通信システム５００が示されている。システム５００は、コア・ネットワーク５０６へのアクセスを有する、例えば中継ｅＮＢ５０４のような１つ又は複数の中継ｅＮＢを提供するドナーｅＮＢ５０２を含む。同様に、中継ｅＮＢ５０４は、ドナーｅＮＢ５０２を介してコア・ネットワークへのアクセスを有する、例えば中継ｅＮＢ５０８のような１つ又は複数の異なる中継ｅＮＢ、又は例えばＵＥ５１０のようなＵＥを提供しうる。クラスタｅＮＢとも称されうるドナーｅＮＢ５０２は、ＬＴＥあるいは他の技術のバックホール・リンクでありうる有線又は無線のバックホール・リンクを介してコア・ネットワーク５０６と通信しうる。一例において、コア・ネットワーク５０６は、３ＧＰＰ  ＬＴＥ又は同様の技術のネットワークでありうる。
【００４７】
ドナーｅＮＢ５０２は更に、中継ｅＮＢ５０４のためのアクセス・リンクを提供することができ、これもまた、有線あるいは無線、ＬＴＥあるいは他の技術でありうる。中継ｅＮＢ５０４は、ドナーｅＮＢ５０２のアクセス・リンクを介して、バックホール・リンクを用いてドナーｅＮＢ５０２と通信しうる。中継ｅＮＢ５０４は同様に、有線又は無線のＬＴＥあるいは他の技術のリンクでありうる、ｅＮＢ５０８及び／又はＵＥ５１０のためのアクセス・リンクを提供しうる。一例において、ドナーｅＮＢ５０２は、中継ｅＮＢ５０４がＬＴＥバックホールを用いて接続しうるＬＴＥアクセス・リンクを提供することができ、中継ｅＮＢ５０４は、中継ｅＮＢ５０８及び／又はＵＥ５１０へのＬＴＥアクセス・リンクを提供しうる。ドナーｅＮＢ５０２は、異なるバックホール・リンク技術を介してコア・ネットワーク５０６に接続しうる。中継ｅＮＢ５０８及び／又はＵＥ５１０は、上述したように、コア・ネットワーク５０６へのアクセスを受信するために、ＬＴＥアクセス・リンクを用いて中継ｅＮＢ５０４に接続しうる。ドナーｅＮＢ及び接続された中継ｅＮＢは、本明細書において、集合的にクラスタとして称されうる。
【００４８】
一例によると、中継ｅＮＢ５０４は、従来のＬＴＥ構成におけるＵＥのように、リンク層（例えば、媒体アクセス制御（ＭＡＣ）層）、トランスポート層、アプリケーション層等においてドナーｅＮＢ５０２に接続しうる。この点に関して、ドナーｅＮＢ５０２は、中継ｅＮＢ５０４をサポートするために、リンク層、トランスポート層、アプリケーション層等、あるいは関連するインタフェース（例えば、Ｅ-ＵＴＲＡ-Ｕｕのようなユーザ対ユーザ対ユーザ（Ｕｕ）、ＥＵＴＲＡ-Ｕｎのようなユーザ対ネットワーク（Ｕｎ）等）における変化を必要としない従来のＬＴＥのｅＮＢとして動作しうる。更に、例えばリンク層、トランスポート層、アプリケーション層等において中継ｅＮＢ５０４に接続するためにＵＥ５１０に関して変化が必要でないように、中継ｅＮＢ５０４はＵＥ５１０に対し、リンク層、トランスポート層、アプリケーション層等において、ＬＴＥ構成における従来のｅＮＢとして現れることができる。更に、中継ｅＮＢ５０４は、アクセスとバックホール・リンクトの間のリソース分割、インタフェース管理、クラスタのためのアイドル・モード・セルの選択等のための手順を構成しうる。中継ｅＮＢ５０４は、一例において追加のドナーｅＮＢに接続しうることが理解されるべきである。
【００４９】
従って、例えば、中継ｅＮＢ５０４は、コア・ネットワーク５０６における１つ又は複数のコンポーネント（例えば、移動性管理エンティティ（ＭＭＥ）、サービス提供ゲートウェイ（ＳＧＷ）、パケット・データ・ネットワーク（ＰＤＮ）ゲートウェイ（ＰＧＷ）等）へのアクセスを受信するために、ドナーｅＮＢ５０２との接続を確立しうる。一例において、ＵＥ５１０は、中継ｅＮＢ５０４からのリソースを要求することができ、それにより、中継ｅＮＢ５０４は、上述したようにＵＥ５１０の通信のためにドナーｅＮＢ５０２からのリソースを予測して要求しうる。例えば、中継ｅＮＢ５０４は、ＵＥ５１０からの要求、対応するＵＥ５１０への許可、ＵＥ５１０との通信に関する１つ又は複数のパラメータ（例えば、トークン・バケツ・パラメータ等）、複数のＵＥとの通信に関する集約されたパラメータ等に基づいて予測リソース要求を生成しうる。更に、上述したように、予測要求は、各々が所与のＱｏＳ階級等に関する予測要求のベクトルでありうる。
【００５０】
図６−８を参照すると、予測リソース要求を生成することに関する方法が示されている。説明の簡略化の目的のために、方法は一連の動作として図示されているが、１つ又は複数の態様によると、いくつかの動作が異なる順序で及び／又は本明細書で説明され示されたもの以外の動作と同時に発生しうるように、方法は動作の順序によって限定されないことが理解されるべきである。例えば当業者は、方法があるいは、例えば状態図のような一連の相互関係を有するステート又はイベントとして表されうることを理解するであろう。更に、１つ又は複数の態様に従って方法を実施するために、図示された動作全てが必要となるわけではない。
【００５１】
図６を参照すると、予測リソース要求を生成することを容易にする例示的方法６００が示されている。６０２において、無線ネットワーク内のノードに関連するリソースの推定値が決定されうる。上述したように、リソースの推定値は、受信されたリソース要求（又はそれらの１つ又は複数のパラメータ）、ノードに割り当てられたリソースのセット、ノードとの通信に関連する１つ又は複数のパラメータ等に少なくとも部分的に基づくことができる。６０４において、リソースに関する予測要求が、リソースの推定値に少なくとも部分的に基づいて生成されうる。一例において、上述したように、予測リソース要求は、受信されたリソース要求におけるバイト又はリソースの数、ＱｏＳ識別子等に基づいて、要求されたリソースの数を含むように生成されうる。
【００５２】
更に、例えば、予測要求は、ノードから受信されうる（例えば、ノードから送信され、受信又は復号を待機しているＨＡＲＱパケットの数等のような）ノードとの通信に関連する１つ又は複数のパラメータに少なくとも部分的に基づいて生成される、（例えば、予測されたパケット・パターンのような）ノードとの通信に基づいて決定される、等でありうる。更に、予測リソース要求は、複数のノードの集約パラメータ、複数のノードからのパケットを受信する確率を用いて結合された集約パラメータ等に関連しうる。別の例において、予測リソース要求は、ノードのために生成されたリソース割当てに関連しうる。６０６において、予測リソース要求は、無線ネットワーク内の異なるノードへ送信されうる。これによって、異なるノードからのリソースを要求することによって生じうる、後続する送信の遅延が緩和されうる。
【００５３】
図７を参照すると、無線ネットワーク・ノードとの通信に関連する１つ又は複数のパラメータに少なくとも部分的に基づいて予測リソース要求を生成することを容易にする例示的方法７００が示されている。７０２において、無線ネットワーク内のノードとの通信に関連する１つ又は複数のパラメータが受信されうる。１つ又は複数のパラメータは、ノードから受信される、ノードとの通信に基づいて決定される、等でありうる。例えば１つ又は複数のパラメータは、上述したように、異なるノードにおける受信及び復号を待機している、ノードによって送信されたＨＡＲＱパケットのサイズ又は数、ノードのための１つ又は複数のトークン・バケツ等を含むことができる。更に、１つ又は複数のパラメータは、リソース要求の一部として受信されることができ、要求されたバイトの数、ＱｏＳ識別子、ＢＳＲ等に関連しうる。７０４において、予測リソース要求が、１つ又は複数のパラメータに少なくとも部分的に基づいて生成されうる。７０６において、予測リソース要求は、無線ネットワーク内の異なるノードへ送信されうる。更に、一例において上述したように、リソースのセットは、１つ又は複数のパラメータに基づいてノードに割り当てられうることが理解されるべきである。
【００５４】
図８を参照すると、リソースを要求している１つ又は複数のノードの集約パラメータに基づいて予測リソース要求を生成することを容易にする例示的方法８００が示されている。８０２において、無線ネットワーク内の複数のノードとの通信に関連する１つ又は複数のパラメータが集約されうる。一例において、１つ又は複数のパラメータは、複数のノードからのリソースに関する要求において受信されうる。別の例において、１つ又は複数のパラメータが、ノードとの通信等に基づいて決定されうる。これは例えば、上述したように、所与のノードからのパケットが受信されるであろう確率を、そのノードに関連する１つ又は複数のパラメータに適用することを含むことができる。８０４において、予測リソース要求が、集約パラメータに少なくとも部分的に基づいて生成されうる。一例において、上述したように、これは、複数のノードから受信されたリソース要求において指定された異なるＱｏＳ階級に各々が関連する予測リソース要求のベクトルを生成することを含むことができる。８０６において、予測リソース要求は、無線ネットワーク内の異なるノードへ送信されうる。
【００５５】
本明細書において説明された１つ又は複数の態様によると、予測リソース要求において要求するリソースの数の計算及び／又は本明細書において説明された他の態様に関して推論がなされうる。本明細書において用いるように、「推論する」又は「推論」と言う用語は一般に、イベント及び／又はデータを介して得られたような観察のセットから、システム、環境、及び／又はユーザの状態を推論又は判断する処理を称する。推論は例えば、特定のコンテキスト又は動作を識別するために用いることができる、又は、ステートにわたる確率分布を生成しうる。推論は、確率的、すなわち、データ及びイベントの考慮に基づく、件のステートにわたる確率分布の計算である。推論はまた、イベント及び／又はデータのセットから高レベルのイベントを構成するために用いられる技術を称することもできる。そのような推論の結果、イベントが時間的に近接して相関付けられているか否か、及びイベント及びデータが１つ又はいくつかのイベント及びデータ・ソースから生じたか否かに関わらず、格納されたイベント・データ及び／又は観察されたイベントのセットから新たなイベント又は動作の構成が生じる。
【００５６】
図９は、例示的無線通信システム９００を示す。無線通信システム９００は、簡略化のために１つの基地局９１０及び１つのモバイル・デバイス９５０を示す。しかし、システム９００は、複数の基地局及び／又は複数のモバイル・デバイスを含むことができ、追加の基地局及び／又はモバイル・デバイスは、以下で説明される例となる基地局９１０及びモバイル・デバイス９５０とは異なる又は実質的に同様でありうることが理解されるべきである。更に、基地局９１０及び／又はモバイル・デバイス９５０は、それらの間の無線通信を容易にするために、本明細書において説明されたシステム（図１―５）及び／又は方法（図６―８）を用いることができることが理解されるべきである。
【００５７】
基地局９１０において、複数のデータ・ストリームのためのトラヒック・データが、データ・ソース９１２から送信（ＴＸ）データ・プロセッサ９１４へ提供される。一例によると、各データ・ストリームは、それぞれのアンテナを介して送信されることができる。ＴＸデータ・プロセッサ９１４は、符号化されたデータを提供するために、そのデータ・ストリームのために選択された特定のコーディング・スキームに基づいて、トラヒック・データ・ストリームをフォーマット、符号化、及びインタリーブする。
【００５８】
各データ・ストリームのための符号化データは、直交周波数分割多重（ＯＦＤＭ）技術を用いてパイロット・データと多重化されることができる。更に又はあるいは、パイロット・シンボルは、周波数分割多重化（ＦＤＭ）、時分割多重化（ＴＤＭ）、又は符号分割多重化（ＣＤＭ）でありうる。パイロット・データは一般的に、周知の方法で処理される周知のデータ・パターンであり、チャネル応答を推定するためにモバイル・デバイス９５０において用いられうる。各データ・ストリームのための多重化されたパイロット及び符号化データは、変調シンボルを提供するために、そのデータ・ストリームのために選択された特定の変調スキーム（例えば、二相位相変調（ＢＰＳＫ）、四相位相変調（ＱＰＳＫ）、Ｍ位相偏移キーイング（Ｍ−ＰＳＫ）、Ｍ直交振幅変調（Ｍ−ＱＡＭ）等）に基づいて変調（例えば、シンボル・マップ）されることができる。各データ・ストリームのためのデータ・レート、コーディング、及び変調は、プロセッサ９３０によって実行又は提供される命令によって決定されうる。
【００５９】
データ・ストリームのための変調シンボルは、（例えば、ＯＦＤＭのために）変調シンボルを更に処理しうるＴＸ  ＭＩＭＯプロセッサ９２０へ提供されうる。ＴＸ  ＭＩＭＯプロセッサ９２０はその後、ＮＴ個の変調シンボル・ストリームをＮＴ個の送信機（ＴＭＴＲ）９２２ａ乃至９２２ｔへ提供する。様々な態様において、ＴＸ  ＭＩＭＯプロセッサ９２０は、データ・ストリームのシンボル及びシンボルが送信されているアンテナに、ビームフォーミング重み付けを適用する。
【００６０】
各送信機９２２は、１つ又は複数のアナログ信号を提供するために、それぞれのシンボル・ストリームを受信及び処理し、ＭＩＭＯチャネルを介した送信のために適切な変調信号を提供するために、アナログ信号を更に処理（例えば、増幅、フィルタ、アップコンバート）する。更に、送信機９２２ａ乃至９２２ｔからのＮＴ個の変調信号が、ＮＴ個のアンテナ９２４ａ乃至９２４ｔからそれぞれ送信される。
【００６１】
モバイル・デバイス９５０において、送信された変調信号は、ＮＲ個のアンテナ９５２ａ乃至９５２ｒによって受信され、各アンテナ９５２からの受信信号は、それぞれの受信機（ＲＣＶＲ）９５４ａ乃至９５４ｒへ提供される。各受信機９５４は、それぞれの信号を調整（例えば、フィルタ、増幅、及びダウンコンバート）し、サンプルを提供するために、調整された信号をデジタル化し、対応する「受信」シンボル・ストリームを提供するためにサンプルを更に処理する。
【００６２】
ＲＸデータ・プロセッサ９６０は、ＮＴ個の「検出された」シンボル・ストリームを提供するために、特定の受信機処理技術に基づいて、ＮＲ個の受信機９５４からのＮＲ個の受信シンボル・ストリームを受信及び処理しうる。ＲＸデータ・プロセッサ９６０は、データ・ストリームのためのトラヒック・データを復元するために、各検出されたシンボルを復調、デインタリーブ、及び復号しうる。ＲＸデータ・プロセッサ９６０による処理は、基地局９１０においてＴＸ  ＭＩＭＯプロセッサ９２０及びＴＸデータ・プロセッサ９１４によって実行される処理と相補的である。
【００６３】
プロセッサ９７０は、上述したようにどのプリコーディング・マトリクスを用いるかを定期的に決定しうる。更に、プロセッサ９７０は、マトリクス・インデクス部分とランク値部分とを備える逆方向リンク・メッセージを生成しうる。
【００６４】
逆方向リンク・メッセージは、通信リンク及び／又は受信されたデータ・ストリームに関する様々なタイプの情報を備えうる。逆方向リンク・メッセージは、データ・ソース９３６からの複数のデータ・ストリームに関するトラヒック・データも受信するＴＸデータ・プロセッサ９３８によって処理され、変調器９８０によって変調され、送信機９５４ａ乃至９５４ｒによって調整され、基地局９１０へ送信し戻される。
【００６５】
基地局９１０において、モバイル・デバイス９５０からの変調信号がアンテナ９２４によって受信され、受信機９２２によって調整され、復調器９４０によって復調され、モバイル・デバイス９５０によって送信された逆方向リンク・メッセージを引き出すためにＲＸデータ・プロセッサ９４２によって処理される。更に、プロセッサ９３０は、ビームフォーミング重み付けを決定するためにどのプリコーディング・マトリクスを用いるかを決定するために、引き出されたメッセージを処理しうる。
【００６６】
プロセッサ９３０及び９７０は、それぞれ基地局９１０及びモバイル・デバイス９５０における動作を指示（例えば、制御、調整、管理等）しうる。それぞれのプロセッサ９３０及び９７０は、プログラム・コード及びデータを格納するメモリ９３２及び９７２に関連付けられることができる。プロセッサ９３０及び９７０はまた、それぞれアップリンク及びダウンリンクのための周波数及びインパルス応答推定を導出するための計算を実行することもできる。
【００６７】
図１０を参照すると、予測リソース要求を生成することを容易にするシステム１０００が示されている。例えばシステム１０００は、基地局、モバイル・デバイス等に少なくとも部分的に存在しうる。システム１０００は、プロセッサ、ソフトウェア、又はそれらの組み合わせ（例えば、ファームウェア）によって実現される機能を表す機能ブロックでありうる機能ブロックを含むように表されていることが理解されるべきである。システム１０００は、連動して動作しうる電子部品の論理グループ１００２を含む。例えば論理グループ１００２は、無線ネットワーク１００４内で通信するためのノードに関連するリソースの数を決定するための電子部品を含むことができる。例えば上述したように、電子部品１００４は、受信されたリソース要求、ノードに割り当てられたリソースのセット、ノードとの通信に関連する１つ又は複数のパラメータ等に少なくとも部分的に基づいて、リソースの数を決定しうる。例えば、電子部品１００４は、受信又は復号を待機している、ノードから送信されたＨＡＲＱパケットの数、パケット・パターン・パラメータ、複数のノードの集約パラメータ、複数のノードからのパケットを受信する確率に結び付けられた集約パラメータ、ノードに提供されたリソース許可等に少なくとも部分的に基づいて、リソースの数を決定しうる。
【００６８】
更に、論理グループ１００２は、リソースの数に少なくとも部分的に基づいて、無線ネットワーク内の異なるノードへ予測リソース要求を提供するための電子部品１００６を含むことができる。上述したように、予測リソース要求は、ノードからの通信を受信するとそれを転送するために、異なるノードとのリソースを確立することを可能にしうる。更に、論理グループ１００２は、ノードからのリソース要求を受信するための電子部品１００８を含むことができる。上述したように、一例において、電子部品１００４は、リソースの数を決定するために、（例えばバイトの数、ＱｏＳ識別子、ＢＳＲ等のような）要求からの１つ又は複数のパラメータを用いることができる。更に、論理グループ１００２は、ノードとの通信に関連する１つ又は複数のパラメータを受信するための電子部品１０１０を含むことができる。上述したように、電子部品１００４は、同様に、１つ又は複数のパラメータに基づいてリソースの数を決定しうる。また、上述したように、電子部品１００６は、リソースの数を予測リソース要求において用いることができる。
【００６９】
更に、論理グループ１００２は、リソース要求に少なくとも部分的に基づいて、リソース許可をノードに割り当てるための電子部品１０１２を含むことができる。上述したように、例えば、リソース許可は、ノードとデータを通信するためのリソースに関連することができ、リソースの数を決定するために電子部品１００４によって用いられうる。更に、論理グループ１００２は、予測要求に少なくとも部分的に基づいて異なるノードからの異なるリソース許可を取得するための電子部品１０１４と、リソース許可を介して受信された１つ又は複数のデータ・パケットを、異なるリソース許可を介して異なるノードへ転送するための電子部品１０１６を含むことができる。また、システム１０００は、電子部品１００４、１００６、１００８、１０１０、１０１２、１０１４、及び１０１６に関連付けられた機能を実行するための命令を保持するメモリ１０１８を含むことができる。メモリ１０１８に外付けであるように図示されたが、電子部品１００４、１００６、１００８、１０１０、１０１２、１０１４、及び１０１６のうちの１つ又は複数は、メモリ１０１８の内部に存在しうることが理解されるべきである。
【００７０】
本明細書において開示された実施形態と関連して説明された様々な例示的論理、論理ブロック、モジュール、及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）又は他のプログラマブル論理デバイス、ディスクリート・ゲート又はトランジスタ・ロジック、ディスクリート・ハードウェア部品、あるいは本明細書において説明された機能を実行するように設計されたそれらの任意の組み合わせを用いて実現又は実行されうる。汎用プロセッサとしてマイクロプロセッサを用いることができるが、代わりに、任意の従来型プロセッサ、コントローラ、マイクロコントローラ、あるいはステート・マシンを用いることもできる。プロセッサはまた、例えば、ＤＳＰとマイクロプロセッサとの組み合わせ、複数のマイクロプロセッサ、ＤＳＰコアに接続された１つ又は複数のマイクロプロセッサ、又は他のそのような構成といったコンピュータ・デバイスの組み合わせとして実現されることもできる。更に、少なくとも１つのプロセッサは、上述したステップ及び／又は動作のうちの１つ又は複数を実行するために動作可能な１つ又は複数のモジュールを備えうる。
【００７１】
更に、本明細書で開示された態様に関連して説明されたアルゴリズム又は方法のステップ及び／又は動作は、ハードウェアによって直接、プロセッサによって実行されるソフトウェア。モジュールによって、又はそれら２つの組み合わせによって具現化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、又は当該技術において周知である他の任意の形式の記憶媒体に収納されうる。典型的な記憶媒体は、プロセッサがそこから情報を読み取り、またそこへ情報を書き込むことができるように、プロセッサに結合されうる。あるいは記憶媒体は、プロセッサに統合されうる。更に、いくつかの態様において、プロセッサ及び記憶媒体はＡＳＩＣ内に存在しうる。更に、ＡＳＩＣはユーザ端末内に存在しうる。あるいはプロセッサ及び記憶媒体は、ユーザ端末内のディスクリート部品として存在しうる。更に、いくつかの態様において、方法又はアルゴリズムのステップ及び／又は動作は、コンピュータ・プログラム製品に組み込まれうる、機械読取可能媒体及び／又はコンピュータ読取可能媒体における命令及び／又はコードの１つ又は任意の組み合わせ又はセットとして存在しうる。
【００７２】
１つ又は複数の態様において、説明された機能は、ハードウェア、ソフトウェア、ファームウェア、又はそれらの任意の組み合わせによって実現されうる。ソフトウェアによる実現の場合、機能、手順等は、コンピュータ読取可能媒体上の１つ又は複数の命令又はコードとして送信又は格納されうる。コンピュータ読取可能媒体は、１つの場所から別の場所へのコンピュータ・プログラムの転送を容易にする任意の媒体を含む通信媒体とコンピュータ記憶媒体との両方を含む。記憶媒体は、コンピュータによってアクセスしうる任意の利用可能な媒体でありうる。限定ではなく一例によると、そのようなコンピュータ読取可能媒体は、ＲＡＭ、ＲＯＭ、ＥＥＰＲＯＭ、ＣＤ−ＲＯＭ又は他の光学ディスク記憶媒体、磁気ディスク記憶媒体又は他の磁気記憶デバイス、あるいは、命令又はデータ構成の形式で所望のプログラム・コードを搬送又は格納するために用いることができ、コンピュータによってアクセスしうる他の任意の媒体を備えうる。また、任意の接続が適宜コンピュータ読取可能媒体と称されうる。例えば、ソフトウェアが、ウェブサイト、サーバ、又は他の遠隔ソースから、同軸ケーブル、光ファイバ・ケーブル、ツイスト・ペア、デジタル加入者線（ＤＳＬ）、又は例えば赤外線、ラジオ、及びマイクロ波のような無線技術を用いて送信される場合、同軸ケーブル、光ファイバ・ケーブル、ツイスト・ペア、ＤＳＬ、又は例えば赤外線、ラジオ、及びマイクロ波のような無線技術は媒体の定義に含まれる。ディスク（disk）及びディスク（disc）は、本明細書において用いられる場合、コンパクト・ディスク（disc）（ＣＤ）、レーザ・ディスク（disc）、光学ディスク（disc）、デジタル・バーサタイル・ディスク（disc）（ＤＶＤ）、フロッピー（登録商標）ディスク（disk）、及びブルーレイ（登録商標）ディスク（disc）を含み、ディスク（disk）が通常データを磁気的に再生するのに対し、ディスク（disc）はレーザを用いてデータを光学的に再生する。上記の組み合わせもまた、コンピュータ読取可能媒体の範囲内に含まれるべきである。
【００７３】
上記説明は、例示的態様及び／又は実施形態を説明するが、特許請求の範囲によって定められたような上記態様及び／又は実施形態の範囲から逸脱することなく様々な変更及び変形例が成されうることが留意されるべきである。更に、上記態様及び／又は実施形態の要素は、単数形で説明あるいは特許請求されうるが、単数形が明確に記載されない限り、複数形も考慮されている。また、任意の態様及び／又は実施形態の一部又は全部は、そうでないと明確に記載されない限り、任意の他の態様及び／又は実施形態の一部又は全部とともに用いられうる。更に、詳細な説明又は特許請求の範囲のいずれかにおいて「含む」という用語が用いられる場合、そのような用語は、「備える」と言う用語が特許請求の範囲においてトランジショナル・ワード（transitional word）として用いられる場合に解釈される場合の「備える」という用語と同様に包括的であることが意図されている。更に、上述した態様及び／又は複数の態様の要素は単数形で説明又は特許請求されうるが、単数形が明確に記載されない限り、複数形も考慮される。また、任意の態様及び／又は実施形態の一部又は全部は、そうではないと記載されない限り、任意の他の態様及び／又は実施形態の一部又は全部とともに用いられうる。
以下に、本願出願の当初の特許請求の範囲に記載された発明を付記する。
［Ｃ１］
無線ネットワーク内のノードに関連するリソースの数を決定することと、
前記ノードに関連するリソースの数を決定することに少なくとも部分的に基づいて、予測リソース要求を生成することと、
前記予測リソース要求を前記無線ネットワーク内の異なるノードへ送信することと
を備える方法。
［Ｃ２］
前記ノードからのリソース要求を受信することを更に備え、前記リソースの数を決定することは、前記リソース要求に少なくとも部分的に基づく、Ｃ１に記載の方法。
［Ｃ３］
前記リソースの数を決定することは、前記リソース要求における１つ又は複数のパラメータに少なくとも部分的に基づく、Ｃ２に記載の方法。
［Ｃ４］
前記１つ又は複数のパラメータは、要求されたバイトの数又はサービス品質識別子を含む、Ｃ３に記載の方法。
［Ｃ５］
前記１つ又は複数のパラメータは、前記ノードにおける送信のための１つ又は複数のパケットを備える１つ又は複数のバッファに関連するバッファ状態レポートを含む、Ｃ３に記載の方法。
［Ｃ６］
前記リソースの数に少なくとも部分的に基づいて、前記ノードのためのリソース許可を生成することと、
前記リソース許可を前記ノードへ送信することと
を更に備える、Ｃ１に記載の方法。
［Ｃ７］
前記予測リソース要求を生成することは、前記リソース許可に少なくとも部分的に基づく、Ｃ６に記載の方法。
［Ｃ８］
前記予測リソース要求のためのリソースの異なる数を計算することを更に備え、前記予測リソース要求を生成することは、前記予測リソース要求に前記リソースの異なる数を含めることを備える、Ｃ１に記載の方法。
［Ｃ９］
前記ノードによって送信され、受信又は復号を待機しているハイブリッド自動反復／要求（ＨＡＲＱ）パケットの数又はサイズを決定することを更に備え、前記予測リソース要求のためのリソースの異なる数を計算することは、ＨＡＲＱパケットの数又はサイズに少なくとも部分的に基づく、Ｃ８に記載の方法。
［Ｃ１０］
前記ノードに関連するパケット・パターンの１つ又は複数のパラメータを決定することを更に備え、前記予測リソース要求のためのリソースの異なる数を計算することは、前記１つ又は複数のパラメータに少なくとも部分的に基づく、Ｃ８に記載の方法。
［Ｃ１１］
前記パケット・パターンの１つ又は複数のパラメータを決定することは、前記ノードに割り当てられた１つ又は複数のトークン・バケツを決定することを含む、Ｃ１０に記載の方法。
［Ｃ１２］
前記無線ネットワーク内の１つ又は複数の追加のノードからの１つ又は複数の異なるリソース要求を受信することを更に備え、前記予測リソース要求のためのリソースの異なる数を計算することは、前記１つ又は複数の追加のノードとの通信に関連する１つ又は複数のパラメータを集約することを含む、Ｃ８に記載の方法。
［Ｃ１３］
前記１つ又は複数の追加のノードとの通信に関連する１つ又は複数のパラメータを集約することは、前記１つ又は複数の異なるリソース要求における１つ又は複数の異なるパラメータを集約すること、前記１つ又は複数の追加のノードから送信され、受信又は復号を待機しているハイブリッド自動反復／要求（ＨＡＲＱ）パケットの数又はサイズを集約すること、前記１つ又は複数の追加のノードに割り当てられた追加のリソースの数を集約すること、前記１つ又は複数の追加のノードからのバッファ状態レポートを集約すること、又は前記１つ又は複数の追加のノードに関連する１つ又は複数のトークン・バケツを集約することを含む、Ｃ１２に記載の方法。
［Ｃ１４］
前記予測リソース要求のためのリソースの異なる数を計算することは、前記１つ又は複数の追加のノードとの通信に関連する前記１つ又は複数のパラメータの各々に確率を適用することを含む、Ｃ１２に記載の方法。
［Ｃ１５］
前記１つ又は複数のパラメータを集約することは、前記１つ又は複数のパラメータに関連するサービス品質に従う、前記１つ又は複数の追加のノードとの通信に関連する１つ又は複数のパラメータを集約することを含む、Ｃ１２に記載の方法。
［Ｃ１６］
前記予測リソース要求を生成することは、前記１つ又は複数のパラメータに関連するサービス品質に各々が対応する予測要求のベクトルを生成することを含む、Ｃ１５に記載の方法。
［Ｃ１７］
前記ノードは、ユーザ機器であり、前記異なるノードは、第３世代パートナーシップ・プロジェクトのロング・ターム・エボリューション・ネットワークにおけるドナー・アクセス・ポイントである、Ｃ１に記載の方法。
［Ｃ１８］
無線ネットワーク内で通信するためのノードに関連するリソースの数を決定し、
前記リソースの数に少なくとも部分的に基づいて、予測リソース要求を生成し、
前記予測リソース要求を前記無線ネットワーク内の異なるノードへ通信するように構成された少なくとも１つのプロセッサと、
前記少なくとも１つのプロセッサに結合されたメモリと
を備える無線通信装置。
［Ｃ１９］
前記少なくとも１つのプロセッサは更に、前記ノードからのリソース要求を受信するように構成され、前記少なくとも１つのプロセッサは、前記リソース要求に少なくとも部分的に基づいて前記リソースの数を決定する、Ｃ１８に記載の無線通信装置。
［Ｃ２０］
前記少なくとも１つのプロセッサは、前記リソース要求における１つ又は複数のパラメータに少なくとも部分的に基づいて前記予測リソース要求を生成する、Ｃ１９に記載の無線通信装置。
［Ｃ２１］
前記少なくとも１つのプロセッサは更に、前記リソースの数に少なくとも部分的に基づいて前記ノードのためのリソース許可を生成し、前記リソース許可を前記ノードへ送信するように構成される、Ｃ１８に記載の無線通信装置。
［Ｃ２２］
前記少なくとも１つのプロセッサは、前記リソース許可に少なくとも部分的に基づいて前記予測リソース要求を生成する、Ｃ２１に記載の無線通信装置。
［Ｃ２３］
前記少なくとも１つのプロセッサは更に、前記予測リソース要求に含まれるリソースの異なる数を計算するように構成される、Ｃ１８に記載の無線通信装置。
［Ｃ２４］
前記少なくとも１つのプロセッサは更に、前記ノードとの通信に関連する１つ又は複数のパラメータを受信するように構成され、前記１つ又は複数のパラメータに少なくとも部分的に基づいて前記リソースの異なる数を計算する、Ｃ２３に記載の無線通信装置。
［Ｃ２５］
前記１つ又は複数のパラメータは、前記ノードによって送信され、前記無線通信装置による受信又は復号を待機しているハイブリッド自動反復／要求パケットの数又はサイズ、又は前記ノードに関連する割り当てられたパケット・パターンを含む、Ｃ２４に記載の無線通信装置。
［Ｃ２６］
前記少なくとも１つのプロセッサは更に、前記無線ネットワーク内の１つ又は複数の追加のノードからの１つ又は複数の異なるリソース要求を取得するように構成され、前記１つ又は複数の追加のノードとの通信に関連する１つ又は複数のパラメータを集約することに少なくとも部分的に基づいて前記予測リソース要求を生成する、Ｃ１８に記載の無線通信装置。
［Ｃ２７］
無線ネットワーク内で通信するためのノードに関連するリソースの数を決定するための手段と、
前記リソースの数に少なくとも部分的に基づいて、前記無線ネットワーク内の異なるノードへ予測リソース要求を提供するための手段と
を備える装置。
［Ｃ２８］
前記ノードからのリソース要求を受信するための手段を更に備え、前記リソースの数を決定するための手段は、前記リソース要求に少なくとも部分的に基づいて前記リソースの数を決定する、Ｃ２７に記載の装置。
［Ｃ２９］
前記提供するための手段は、前記リソース要求における１つ又は複数のパラメータに少なくとも部分的に基づいて前記予測リソース要求を生成する、Ｃ２８に記載の装置。
［Ｃ３０］
前記リソースの数に少なくとも部分的に基づいて、前記ノードにリソース許可を割り当てるための手段を更に備える、Ｃ２７に記載の装置。
［Ｃ３１］
前記提供するための手段は、前記リソース許可に少なくとも部分的に基づいて前記予測リソース要求を生成する、Ｃ３０に記載の装置。
［Ｃ３２］
前記予測要求に少なくとも部分的に基づいて、前記異なるノードからの異なるリソース許可を取得するための手段と、
前記リソース許可を介して受信された１つ又は複数のデータ・パケットを、前記異なるリソース許可を介して前記異なるノードへ転送するための手段と
を更に備える、Ｃ３０に記載の装置。
［Ｃ３３］
前記ノードとの通信に関連する１つ又は複数のパラメータを受信するための手段を更に備え、前記決定するための手段は、前記ノードとの通信に関連する１つ又は複数のパラメータに少なくとも部分的に基づいて前記リソースの数を決定し、前記提供するための手段は、前記１つ又は複数のパラメータに少なくとも部分的に基づいて前記予測リソース要求を生成する、Ｃ２７に記載の装置。
［Ｃ３４］
前記１つ又は複数のパラメータは、前記ノードによって送信され、受信又は復号を待機しているハイブリッド自動反復／要求パケットの数又はサイズ、又は前記ノードに関連するパケット・パターンを含む、Ｃ３３に記載の装置。
［Ｃ３５］
少なくとも１つのコンピュータに、無線ネットワーク内のノードに関連するリソースの数を決定させるためのコードと、
前記少なくとも１つのコンピュータに、前記リソースの数に少なくとも部分的に基づいて予測リソース要求を生成させるためのコードと、
前記少なくとも１つのコンピュータに、前記予測リソース要求を前記無線ネットワーク内の異なるノードへ通信させるためのコードと
を備えるコンピュータ読取可能媒体を備えるコンピュータ・プログラム製品。
［Ｃ３６］
前記コンピュータ読取可能媒体は更に、前記少なくとも１つのコンピュータに、前記ノードからのリソース要求を受信させるためのコードを備え、前記少なくとも１つのコンピュータに決定させるためのコードは、前記リソース要求に少なくとも部分的に基づいて前記リソースの数を決定する、Ｃ３５に記載のコンピュータ・プログラム製品。
［Ｃ３７］
前記少なくとも１つのコンピュータに生成させるためのコードは、前記リソース要求における１つ又は複数のパラメータに少なくとも部分的に基づいて前記予測リソース要求を生成する、Ｃ３６に記載のコンピュータ・プログラム製品。
［Ｃ３８］
前記コンピュータ読取可能媒体は更に、前記少なくとも１つのコンピュータに、前記リソースの数に少なくとも部分的に基づいて前記ノードのためのリソース許可を生成させ、前記リソース許可を前記ノードへ送信させるためのコードを備える、Ｃ３５に記載のコンピュータ・プログラム製品。
［Ｃ３９］
前記少なくとも１つのコンピュータに生成させるためのコードは、前記リソース許可に少なくとも部分的に基づいて前記予測リソース要求を生成する、Ｃ３８に記載のコンピュータ・プログラム製品。
［Ｃ４０］
前記コンピュータ読取可能媒体は更に、前記少なくとも１つのコンピュータに、前記予測リソース要求に含まれるリソースの異なる数を計算させるためのコードを備える、Ｃ３５に記載のコンピュータ・プログラム製品。
［Ｃ４１］
前記コンピュータ読取可能媒体は更に、前記少なくとも１つのコンピュータに、前記ノードとの通信に関連する１つ又は複数のパラメータを受信させるためのコードを備え、前記少なくとも１つのコンピュータに計算させるためのコードは、前記１つ又は複数のパラメータに少なくとも部分的に基づいて前記リソースの異なる数を計算する、Ｃ４０に記載のコンピュータ・プログラム製品。
［Ｃ４２］
前記１つ又は複数のパラメータは、前記ノードによって送信され、受信又は復号を待機しているハイブリッド自動反復／要求パケットの数又はサイズ、又は前記ノードに割り当てられた１つ又は複数のトークン・バケツを含む、Ｃ４１に記載のコンピュータ・プログラム製品。
［Ｃ４３］
前記コンピュータ読取可能媒体は更に、前記少なくとも１つのコンピュータに、前記無線ネットワーク内の１つ又は複数の追加のノードからの１つ又は複数の異なるリソース要求を取得させるためのコードを備え、前記少なくとも１つのコンピュータに生成させるためのコードは、前記１つ又は複数の追加のノードとの通信に関連する１つ又は複数のパラメータを集約することに少なくとも部分的に基づいて前記予測リソース要求を生成する、Ｃ３５に記載のコンピュータ・プログラム製品。
［Ｃ４４］
無線ネットワーク内で通信するためのノードに関連するリソースの数を決定するリソース計算コンポーネントと、
前記リソースの数に少なくとも部分的に基づいて、前記無線ネットワーク内の異なるノードへ予測リソース要求を提供するリソース要求コンポーネントと
を備える装置。
［Ｃ４５］
前記ノードからのリソース要求を取得するリソース要求受信コンポーネントを更に備え、前記リソース計算コンポーネントは、前記リソース要求に少なくとも部分的に基づいて前記リソースの数を決定する、Ｃ４４に記載の装置。
［Ｃ４６］
前記リソース要求コンポーネントは、前記リソース要求における１つ又は複数のパラメータに少なくとも部分的に基づいて前記予測リソース要求を生成する、Ｃ４５に記載の装置。
［Ｃ４７］
前記リソースの数に少なくとも部分的に基づいて、前記ノードへリソース許可を提供するリソース割当てコンポーネントを更に備える、Ｃ４４に記載の装置。
［Ｃ４８］
前記リソース要求コンポーネントは、前記リソース許可に少なくとも部分的に基づいて前記予測リソース要求を生成する、Ｃ４７に記載の装置。
［Ｃ４９］
前記予測要求に少なくとも部分的に基づいて、前記異なるノードからの異なるリソース許可を取得するリソース許可受信コンポーネントと、
前記リソース許可を介して受信された１つ又は複数のデータ・パケットを、前記異なるリソース許可を介して前記異なるノードへ転送するデータ通信コンポーネントと
を更に備える、Ｃ４７に記載の装置。
［Ｃ５０］
前記ノードとの通信に関連する１つ又は複数のパラメータを取得するパラメータ受信コンポーネントを更に備え、前記リソース計算コンポーネントは、前記１つ又は複数のパラメータに少なくとも部分的に基づいて、前記予測リソース要求のためのリソースの数を決定し、前記リソース要求コンポーネントは、前記１つ又は複数のパラメータに少なくとも部分的に基づいて前記予測リソース要求を生成する、Ｃ４４に記載の装置。
［Ｃ５１］
前記１つ又は複数のパラメータは、前記ノードによって送信され、受信又は復号を待機しているハイブリッド自動反復／要求パケットの数又はサイズ、又は前記ノードからの予測されるデータに関連する１つ又は複数のパケット・パターン・パラメータを含む、Ｃ５０に記載の装置。
【図１】
0005964392.tif 000003
【図２】
0005964392.tif 000004
【図３】
0005964392.tif 000005
【図４】
0005964392.tif 000006
【図５】
0005964392.tif 000007
【図６】
0005964392.tif 000008
【図７】
0005964392.tif 000009
【図８】
0005964392.tif 000010
【図９】
0005964392.tif 000011
【図１０】
0005964392.tif 000012